(57)【要約】洗浄組成物が適用された水不溶性基材を含むワイプであって：前記洗浄組成物が、  （ａ）界面活性剤、及び  （ｂ）ペルオキシカルボン酸又はそれらの親水性前駆体である漂白剤、を含む、前記ワイプ。【特許請求の範囲】
【請求項１】
洗浄組成物が適用された水不溶性基材を含むワイプであって：
前記洗浄組成物が、
（ａ）界面活性剤、及び
（ｂ）以下の漂白剤、
（ｉ）ペルオキシカルボン酸又はそれらの親水性前駆体；及び／又は
（ｉｉ）親水性漂白剤又はそれらの前駆体、
を含む、前記ワイプ。
【請求項２】
前記漂白剤が、ペルオキシカルボン酸又はそれらの親水性前駆体である、請求項１に記載のワイプ。
【請求項３】
前記漂白剤が、脂肪族Ｃ1〜Ｃ22過オキソ酸及びそれらの前駆体、好ましくは、脂肪族Ｃ9〜16過オキソ酸、さらに好ましくは、ペルノナン酸からなる群から選択される漂白剤を含む、請求項１に記載のワイプ。
【請求項４】
前記漂白剤が、芳香族Ｃ7〜30過オキソ酸及びそれらの前駆体、好ましくは、Ｃ7〜20ヘテロ芳香族過オキソ酸、さらに好ましくは、フタルイミドペルオキシヘキサン酸（ＰＡＰ）からなる群から選択される漂白剤を含む、請求項１に記載のワイプ。
【請求項５】
前記漂白剤が、過ホウ酸、過炭酸、過塩酸又は過臭化水素酸、それらの塩；又はそれらの前駆体からなる群から選択される、請求項１に記載のワイプ。
【請求項６】
前記基材に適用された前記組成物が、陰イオン性側鎖を有する水溶性増粘ポリマーをさらに含む、請求項１に記載のワイプ。
【請求項７】
前記側鎖がカルボキシレート基である、請求項６に記載のワイプ。
【請求項８】
前記水溶性増粘ポリマーが、多糖類であり、好ましくは、キサンタンガム、セルロース類、修飾されたセルロース類、グアーガム及びアラビアゴムから選択され、さらに好ましくは、キサンタンガム又はグアーガムから選択される、請求項６に記載のワイプ。
【請求項９】
前記基材に適用された前記組成物が、洗浄組成物自体において陰イオン性である側鎖を有する水溶性増粘ポリマーをさらに含む、請求項１に記載のワイプ。
【請求項１０】
前記水溶性増粘ポリマーが、ポリビニルアルコール、ポリアクリル酸、ポリビニルピロリドン、及びそれらの混合物からなる群から選択される、請求項９に記載のワイプ。
【請求項１１】
前記水溶性増粘ポリマーが、１０，０００〜６０，０００ダルトンの分子量を有し、且つ部分的に加水分解され、好ましくは８５％〜９０％加水分解された、ポリビニルアルコールである、請求項１０に記載のワイプ。
【請求項１２】
前記基材に適用された前記組成物が、無機塩類及び酸化物類から選択される水移動剤をさらに含む、請求項１に記載のワイプ。
【請求項１３】
前記水移動剤が、水和可能な酸化物及び塩、より好ましくは、ケイ素、アルミニウム、亜鉛、ホウ素、リン、アルカリ土類金属及びアルカリ金属の酸化物及び塩、並びにこれらの混合物から選択され、さらに好ましくは、シリカ、マグネシウムの塩、及びそれらの混合物から成る群から選択される化合物を含む、請求項１２に記載のワイプ。
【請求項１４】
前記基材に適用された前記組成物が、シクロデキストリンをさらに含み、前記漂白剤が、シクロデキストリンによって封入される、請求項１に記載のワイプ。
【請求項１５】
前記組成物が、界面活性剤を含む第１の組成成分と、漂白剤を含む第２の組成成分とによって形成され、前記第１の組成成分と前記第２の組成成分とが、前記基材の別個の領域に適用された、請求項１に記載のワイプ。
【請求項１６】
組成物が適用された水不溶性基材を含むワイプであって：
前記組成物が、
（ａ）界面活性剤、
（ｂ）漂白剤、及び
（ｃ）水溶性増粘ポリマー
を含み、
その際、前記水溶性増粘ポリマーが、陰イオン性側鎖、及び／又は洗浄組成物自体において陰イオン性である側鎖を有する、前記ワイプ。
【請求項１７】
前記ポリマーが、カルボキシレート側鎖を有し、好ましくは、多糖類である、請求項１６に記載のワイプ。
【請求項１８】
前記ポリマーが、１０，０００〜６０，０００ダルトンの分子量を有するポリビニルアルコール、好ましくは、１０，０００〜６０，０００ダルトンの分子量を有し、部分的に加水分解されたポリビニルアルコール、さらに好ましくは、１０，０００〜６０，０００ダルトンの分子量を有し、８５％〜９０％加水分解されたポリビニルアルコールである、請求項１６に記載のワイプ。
【請求項１９】
前記ポリマーが、ポリアクリル酸又はポリビニルピロリドンである、請求項１６に記載のワイプ。
【請求項２０】
第１及び第２の洗浄組成物成分が適用された水不溶性基材を含むワイプであって：
前記第１の洗浄組成物成分が、
（ａ）界面活性剤を含み、
且つ前記第２の洗浄組成物成分が、
（ｂ）漂白剤を含み、
その際、前記第１及び第２の組成物成分は、ワイプの別個の領域に適用された、前記ワイプ。
【請求項２１】
前記漂白剤が、親水性漂白剤又はそれらの前駆体である、請求項１６〜２０のいずれか一項に記載のワイプ。
【請求項２２】
前記親水性漂白剤が、過ホウ酸、過炭酸、過塩酸又は過臭化水素酸、それらの塩；又はそれらの前駆体からなる群から選択される、請求項２１に記載のワイプ。
【請求項２３】
プラスチック食器類からカロチノイドの汚れを除去するための、請求項１に記載のワイプにおける親水性漂白剤又はそれらの前駆体の使用。
【請求項２４】
請求項１に記載のワイプを用いる、表面を洗浄する方法。
【請求項２５】
前記洗浄される表面が食器類である、請求項２４に記載の方法。
【請求項２６】
以下の工程を含む食器類ケア方法であって：
（１）界面活性剤、及び
（２）漂白剤
を含む洗浄組成物が適用された使い捨てワイプを提供する工程、
前記ワイプを水で濡らす工程、及び
汚れを除去するために、前記濡れたワイプを汚れた食器類に適用する工程を含む、前記食器類ケア方法。
【請求項２７】
以下の工程を含む食器類ケア方法であって：
（３）界面活性剤、及び
（４）漂白剤
を含む洗浄組成物が適用された使い捨てワイプを提供する工程、
汚れた食器類を提供する工程、
前記汚れた食器類を水で濡らす工程、及び
汚れを除去するために、前記ワイプを濡れている汚れた食器類に適用する工程を含む、前記食器類ケア方法。
【請求項２８】
水不溶性基材を提供する工程と、漂白剤を含む水性ペーストを前記水不溶性基材に適用する工程とを含む、請求項１に記載のワイプを製造するためのプロセス。
【発明の詳細な説明】
【技術分野】
【０００１】
本発明は、漂白剤を含有する洗浄組成物が適用された水不溶性基材から形成されるワイプに関する。ワイプは、手による食器洗いプロセスにおいて使用するのに特に適しており、従って、本発明は、この種類のワイプを用いた食器類ケアの方法を提供する。
【背景技術】
【０００２】
界面活性剤及び他の洗浄成分を含有する洗浄組成物を適用することによって、食器類及び他の家庭用品の表面からの汚れ及び染みを除去することは周知である。特定の種類の汚れは、特に除去するのが困難である。例えば、タンパク汚れ及び油っぽい汚れの乾燥した組み合わせ又は焼き付けられた組み合わせは、食器類から除去するのが困難である。さらに、染み及びさびはまた、食器類及び家庭用品の表面から除去するのが困難である。
【０００３】
一般的に、漂白剤化合物が、食器類及び家庭用品の表面からの汚れの除去において役立つことが知られている。例えば、漂白剤は、自動食器洗浄機のために提供される組成物中の通常の成分である。このような組成物は、含有する場合でも、非常に低濃度の界面活性剤を含有する傾向がある。
【０００４】
手による食器洗いのプロセスにおいて、困難な汚れを除去するという問題が残っている。手による食器洗いにおいて使用するための組成物は、泡形成が洗浄効力の重要な指標として消費者に認識されているため、一般的に、比較的高濃度の高起泡性界面活性剤を含有する。残念なことに、多くの漂白剤は、多くの界面活性剤とは不適合性である傾向があり、貯蔵時に、漂白剤又は界面活性剤又はその両方が相互作用して、使用時までに効力が減少する。
【０００５】
ＥＰ−Ａ−０６８８３０は、多孔質ポリマー材料を保有し、液体を運ぶか又は吸収するのに適した基材を記載する。漂白剤を含む唯一の例は、過酸化水素漂白剤を使用する。記載される物品は、硬質表面クリーナー又は食器洗浄物品ではなく、布地において使用するための染みリムーバーとして有用であると記載されている。
【０００６】
さらに、ＥＰ−Ａ−２１１６６４は、拭き取り表面、例えば、台所及び浴室の表面に適した物品を記載する。これは、３つの別個の組成物が適用された基材を含む。第１のものは、非イオン性界面活性剤、香料、ポリヒドロキシプロピルメタクリレート及び過酸化ベンゾイル漂白剤を含む。第２のものは、吸収スルホン化ポリスチレンを含む。第３のものは研磨剤であり、ポリビニルクロリド顆粒、接着剤及び増粘剤を含む。この刊行物は、研磨表面を提供することによって、汚れ除去を高めることに主に関心を置いている。
【０００７】
手による食器洗い及び他の家庭用品の表面の手による洗浄のために適切な、特に手による食器洗浄において、困難な汚れの除去を高める手段を提供することが望ましい。洗浄成分の効力が貯蔵中に維持される、このような手段を提供することも望ましい。
【発明の開示】
【発明が解決しようとする課題】
【０００８】
本発明者らは、漂白剤を含有する洗浄組成物が、ワイプの形態において水不溶性基材上に提供される場合、高濃度の界面活性剤を含有する洗浄組成物を使用した場合（及びそれによって高い泡立ちを示し、消費者によって効果的であると認識される場合）であっても、良好な汚れ除去を得ることが可能であることを見出した。さらに、この形態は、使用時まで別個に維持することができ、それにより安定性を向上させた、界面活性剤を含有する組成物成分と漂白剤を含有する組成物成分とを別個に適用可能にする。
【課題を解決するための手段】
【０００９】
それ故に、本発明の第１の態様によれば、本発明者らは：
（ａ）界面活性剤、及び
（ｂ）ぺルオキシカルボン酸又はそれらの親水性前駆体である漂白剤、を含む洗浄組成物が適用された水不溶性基材を含むワイプを提供する。
【００１０】
本発明者らは、ワイプが、特に、界面活性剤と漂白剤との両方を直接及び同時に洗浄される表面、例えば食器類に提供する特に適切な手段であり、それにより汚れ除去を向上可能であることを見出した。
【００１１】
さらに、ペルオキシカルボン酸漂白剤及びそれらの親水性前駆体の使用は、漂白剤が、タンパク質及び炭水化物のような親水性官能基を含有する傾向がある汚れに対して親和性を有するという利点を有する。従って、漂白剤は酸化を開始し、汚れの多孔性を増大させる。この増大した多孔性は、界面活性剤のような他の洗浄成分のさらによく、より深部への浸透を可能にする。
【００１２】
さらに、本発明者らは、この環境において、ある定義された水溶性増粘ポリマーがワイプに適用された洗浄組成物中に含むことによって、漂白剤の放出を制御可能であることを見出した。それ故に、本発明の第２の態様によれば、本発明者らは、
（ａ）界面活性剤、
（ｂ）漂白剤、及び
（ｃ）陰イオン性側鎖及び／又は洗浄組成物それ自体において陰イオン性である側鎖を有する水溶性増粘ポリマー、
を含む洗浄組成物が適用された水不溶性基材を含むワイプを提供する。
側鎖はカルボキシレート鎖が有利であり、特にポリマーは多糖類である。
【００１３】
本発明のワイプは、硬質表面、例えば台所及び浴室の表面のような家庭用品の表面を洗浄する方法において有用であるが、特に、汚れた食器類を洗浄するための食器類ケア方法において有利である。
それ故に、本発明のさらなる態様において、
（ａ）界面活性剤、及び
（ｂ）漂白剤、
を含む洗浄組成物が適用された使い捨てワイプを提供する工程と、
ワイプを水で濡らすことによって食器を洗浄し、濡れたワイプを汚れた食器類に適用するか、又は食器を濡らし、ワイプを濡れた食器類に適用するかのいずれかによって食器類を洗浄する工程を含む、食器類ケア方法を提供する。
【発明を実施するための最良の形態】
【００１４】
（漂白剤）
本発明の全ての態様において、基材が漂白剤を含む組成物を適用されることが必須である。洗剤の使用のために公知のいかなる漂白剤が、適切な場合、使用されてもよい。本発明の第１の態様では、漂白剤は、ペルオキシカルボン酸漂白剤又はそれらの親水性前駆体である。好ましくは、漂白剤は、脂肪族Ｃ1〜Ｃ22ペルオキシカルボン酸及びそれらの前駆体から選択され、特に、脂肪族Ｃ9〜Ｃ16ぺルオキシカルボン酸及びそれらの前駆体から選択される。この種類において特に好適なペルオキシカルボン酸としては、ペルノナン酸、ｎ−ノナノイル−６−アミノペルカプロン酸及びジペルオキシドデカン二酸が挙げられる。
【００１５】
他の好ましい漂白剤は、芳香族Ｃ7〜Ｃ30ペルオキシカルボン酸及びそれらの前駆体であり、好ましくは、Ｃ7〜Ｃ20ヘテロ芳香族ペルオキシカルボン酸である。特に好ましい例としては、フタルイミドペルオキシヘキサン酸（ＰＡＰ）（ＥＰ−Ａ−３４９９４０に記載される）、及び下式
【００１６】
【化１】
2006505683.tif 000002
（式中、ｎは１〜１８であることができる）の他の化合物である。ＰＡＰにおいて、ｎは５である。
【００１７】
他の好ましい芳香族漂白剤は、置換過安息香酸（例えば、メタ−クロロ過オキソ安息香酸、マグネシウムモノ過オキソ安息香酸塩）である。
さらに、漂白剤系は、漂白剤の作用を促進させる漂白剤活性化剤のような他の成分を含んでもよい。漂白剤活性剤の例は、テトラアセチルエチレンジアミン（ＴＡＥＤ）、ＮＯＢＳ、アシルトリエチルクエン酸塩、過アジピン酸のノニルアミド（例えば、米国特許第４２５９２０１号に論じられたようなもの）、ナトリウム３，５，５−トリメチルヘキサノイルオキシベンゼンスルホネート（例えば、米国特許第４８１８４２５号に開示されるようなもの）、Ｎ−アセチルカプロラクタム類（アセトイル−ウンデカノイルカプロラクタム類）、イミン及びオキサジリジンに基づく漂白剤活性化剤である。
【００１８】
それに加えて、この系は、酸化動力学を向上させるために漂白剤を含有してもよい。漂白触媒の例は、遷移金属（例えば、Ｃｏ、Ｍｎ及びＦｅ）の錯体である。
漂白剤系は、疎水性漂白剤化合物をさらに含んでもよい。例は、ジアシルペルオキシド類（例えば、過酸化ベンゾイル）、ジアルキルペルオキシド類（例えば、ジ−ｔ−ブチルペルオキシド）、及びペルオキシエステル類（例えば、ｔ−ブチルペルオキシアセテート）である。
【００１９】
本発明の別の態様では、漂白剤は親水性漂白剤又はそれらの前駆体である。好ましくは、親水性漂白剤は、過ホウ酸、過炭酸、次亜塩素酸又は次亜臭素酸；それらの塩；又はそれらの前駆体である。親水性漂白剤及びそれらの前駆体は、非常に色のついた汚れ、特にカロチノイドの汚れを、プラスチック食器類から除去することにおいて、優れた洗浄性能を提供することが見出された。カロチノイド汚れ、例えば、α−、β−、γ−カロチン及びリコピン及びキサントフィル（ゼアキサンチン又はカプサンシン）は、これらの成分を含有する任意の加工製品、及び特定の熱帯果物及びサフロンにおいて、ニンジン及びトマトから誘導される。
【００２０】
発熱性の水和塩、例えば、Ｋ2ＣＯ3又はＭｇＳＯ4は、これらの親水性漂白剤と組み合わせて使用されてもよく、水と接触する場合に熱を発生し、漂白剤活性を高める。
基材に適用された組成物中の漂白剤の全体量は、組成物の１〜３０重量％、好ましくは、３〜２０重量％の範囲であることができる。
【００２１】
本発明者らは、ワイプ中に漂白剤を含むことが悪臭の減少の利益を提供することを見出した。特に、本発明者らは、１つ以上の使用の後に生じ得るワイプ自体からの悪臭を、漂白剤を含むことにより下げることを見出した。
本発明において、漂白剤はペルオキシアニオンの形成によって作用する。従って、遊離ラジカル反応を用いて作用しない（基材に適用された組成物は、一般的に、遊離ラジカル開始剤を含有しない）。従って、基材に適用された組成物は、使用において、好ましくは、一般的にｐＨ８〜１２、好ましくは、８〜１０のアルカリ水性環境を提供することが好ましい。
【００２２】
洗浄ワイプ中に特定の種類の漂白剤を含む可能性と関連すると本発明者らが見出したさらなる利点は、使用中のワイプの変色の低減である。特に、本発明者らは、本発明のワイプが、好ましくは、白度（Ｌ、以下に議論されるように測定される）の変化が、使用前の白度に基づいて、使用前の白度の２５％を超えず、好ましくは、２０％を超えず、さらに好ましくは、１５％を超えず、特に１０％を超えないことを見出した。
【００２３】
（界面活性剤）
さらに、基材に適用された組成物は、洗剤界面活性剤を含む。これは、食器類ケア組成物において使用するために知られた従来の界面活性剤から選択されてもよい。一般的に、界面活性剤は、陰イオン性界面活性剤、両性界面活性剤、非イオン性界面活性剤及び双性イオン性界面活性剤及びそれらの混合物から選択される。好ましい陰イオン性界面活性剤としては、アルキルエトキシサルフェート類が挙げられる。好ましい非イオン性界面活性剤としては、アルコールエトキシレート類が挙げられる。好ましい両性界面活性剤としては、アミンオキシド類が挙げられる。
基材に適用された組成物中の界面活性剤は、一般的に、組成物の２０〜７０重量％、好ましくは、３０〜６０重量％の範囲である。
【００２４】
（増粘剤ポリマー）
好ましい実施形態において、ワイプに適用された組成物はまた、水溶性増粘ポリマーを含む。本発明者らは、このようなポリマーを含むことが、水性洗浄環境内に基材から漂白剤の放出が制御されるという利点を有することを見出した。
【００２５】
上記ポリマーは、陰イオン性側鎖、及び／又は洗浄組成物自体において、陰イオン性である側鎖を有し、好ましくは、４〜２０の範囲のｐＫａを有する。
従って、側鎖は、酸基であってもよいが、但し、これらの酸基のｐＫａは、ソート形態における洗浄組成物中で普及しているｐＨ条件下で十分に低い。一般的に、ｐＫａ８．５以下を有する酸基は、洗浄組成物中で陰イオン性側鎖を形成し、好ましくは、ｐＫａは８を超えない。一般的に、少なくとも４であり、好ましくは、４〜７である。側鎖は、例えば、カルボキシレート、サルフェート、又はスルホネートであることができ、このポリマーは、酸又は塩形態において組成物に提供可能であり、但し、塩形態は組成物中に存在する。
【００２６】
本発明者らは、陰イオン性側鎖を有するポリマーを含むことは、陰イオン性ポリマーが界面活性剤の溶解を阻害する網状組織を形成する能力がかなり高いことのために少なくとも、多少なりとも、中性ポリマーの使用よりも有利である。さらに、陽イオン性ポリマーよりも有利な点が存在し、本発明者らは、食器洗い用洗浄組成物において使用される界面活性剤の多くは陰イオン性であるため、陰イオン性ポリマーの使用は、所望の界面活性剤の全てを放出することができなくなる、界面活性剤とポリマーとの間の過剰な錯体化を防ぐものと考えられる。
【００２７】
陰イオン性側鎖は、好ましくは、カルボキシレート基であり、本発明者らは、カルボキシレート側鎖を有する特に好ましい種類の物質が多糖類及び多糖類誘導体であることを見出した。これらのものは、特に良好な制御された放出成果を与える。
さらに、好ましいポリマー類は、放出の制御に貢献すると考えられるような、ヒドロキシル基又は水素結合を示すことが可能な他の基を含む。
好ましくは、多糖類又は多糖類誘導体は、１×１０5〜９×１０7、好ましくは、５×１０5〜５×１０6の分子量を有する。
【００２８】
本発明の別の好ましい実施形態では、多糖類又は多糖類誘導体は、キサンタンガム、セルロース、変性されたセルロース、グアーガム及びアラビアゴム及びそれらの混合物からなる群から選択される。好ましくは、多糖類又は多糖類誘導体はキサンタンガム及びグアーガムからなる群から選択される。最も好ましくは、約１０6の分子量を有するキサンタンガムである。キサンタンガムの誘導体は、それが陰イオン性の側鎖と、好ましくは、ヒドロキシル基とを保持するのであれば、使用することができる。
【００２９】
本発明の別の好ましい実施形態では、水溶性ポリマーはポリビニルアルコール（ＰＶＡ）である。次いで、陰イオン電荷は、ヒドロキシル基の脱プロトン化、８〜１４のｐＫａを有するそれらのアルコキシド基への変換によって組成物中で形成される。ＰＶＡは、好ましくは、１０，０００〜６０，０００ダルトンの分子量を有し、好ましくは、洗浄組成物中の分散性を高めるために部分的に加水分解される。加水分解度は、好ましくは、８５％〜９０％である。部分的に加水分解された形態では、ＰＶＡは、界面活性剤様の、優れた泡立ち特性を生じる、陰イオン性及び疎水性の両方の特性を有する。
【００３０】
洗浄組成物自体において、陰イオン性側鎖を形成する他の好ましいポリマーは、ポリアクリル酸及びポリビニルピロリドンである。
水溶性増粘ポリマーは、界面活性剤と密接に組み合わされてもよいか、又は基材上の別個の位置に配置されてもよい。
ポリマーの適切な量は、基材に適用された組成物の重量に基づいて、２〜１２重量％、好ましくは、４〜８重量％、さらに好ましくは、５〜７重量％の範囲である。
水溶性増粘ポリマーの濃度は、組成物中のペルオキシカルボン酸又は前駆体漂白剤の重量に基づいて、３〜３０％、好ましくは、５〜２５％であることが好ましい。
【００３１】
（水移動剤）
好ましい実施形態では、さらに、構造化剤として作用する水移動剤を含む。適切な水移動剤は、組成物から遊離水、特に、界面活性剤及び／又は漂白剤と関連する遊離水を吸収可能である粒子状物質である。本発明者らは、このような水移動剤又は構造化剤の存在が、組成物から水性洗浄環境への界面活性剤及び漂白剤の放出が制御されるというさらなる利点を有することを見出した。
【００３２】
水移動剤は、界面活性剤から水を抜き取ることができる。「界面活性剤から水を抜き取ることができる」とは、水と水移動剤との間には、水と界面活性剤との間に存在するよりも大きな親和力が存在することを意味する。
【００３３】
本発明の好ましい実施形態において、水移動剤は、無機酸化物及び塩、特に水和可能な酸化物及び塩、とりわけケイ素、アルミニウム、亜鉛、ホウ素、リン、アルカリ土類金属及びアルカリ金属の酸化物及び塩、ならびにこれらの混合物から成る群から選択される。例としては、ケイ酸塩、ケイ酸及びシリカ、クエン酸、クエン酸塩、トリポリリン酸ナトリウム及びトリポリリン酸カリウム、硫酸ナトリウム及び硫酸カリウム、硫酸マグネシウム及び硫酸カルシウムが挙げられる。好ましくは、水移動剤は、シリカ、マグネシウムの塩、及びこれらの混合物から成る群から選択される。
【００３４】
より好ましくは、水移動剤は、シリカ、好ましくは、非晶性燻蒸シリカである。疎水性シリカは、必要な親水性を有していないため水移動剤として作用しない。
好ましくは、水移動剤は、（ＤＩＮ６６１３１に記載され、ＪＡＣＳ、第６０巻、１９３８年、３０９頁（ブルナウアー（Brunauer）、エメット（Emmet）及びテラー（Teller）による）に元々記載されるように）ＢＥＴによって測定される表面積が５〜８００ｍ2／ｇである。より好ましくは、水移動剤は、１００〜４００ｍ2／ｇの表面積を有する。
別の好ましい実施形態において、シリカは０．０５〜１μｍ、好ましくは、０．２〜０．３μｍの平均粒径を有する。
好ましくは、基材に適用された組成物は、２．５〜１５％、より好ましくは、５〜１０％、最も好ましくは、約６％の水移動剤を含む。
【００３５】
（シクロデキストリン）
いくつかの実施形態において、本発明者らは、組成物中にシクロデキストリンを含有することが好ましいことを見出した。特に、本発明者らは、ペルオキシカルボン酸漂白剤又は親水性ペルオキシカルボン酸漂白剤前駆体をカプセル化するシクロデキストリンを包含する。さらに、このことは、時間をかけて漂白剤の放出を制御するという利点も提供する。
【００３６】
シクロデキストリンの好ましい濃度は、使用される場合、基材に適用された全組成物に基づいて、１４〜２８重量％の範囲である。好ましい濃度は、組成物中の全漂白剤に基づいて、４０〜８０重量％である。
任意の公知のシクロデキストリンが使用可能であり、例えば、α−シクロでキストリン、β−シクロデキストリン及びγ−シクロデキストリンであり、ヒドロキシプロピル−β−シクロデキストリン及びメチル−β−シクロデキストリンが好ましい。
【００３７】
（その他の成分）
適用された組成物はまた、食器類ケア又は他の表面洗浄組成物において使用するのに適切な他の成分を含んでもよい。特に、いくつかの実施形態において、プロテアーゼ、アミラーゼ及びペルオキシダーゼのような酵素を含有することが好ましい。
好ましくは、基材に適用された組成物はまた、粒子、例えばＰＡＰの形態で存在する場合、漂白剤又は漂白剤前駆体のための粒子状分散剤を含む。任意の適切なポリマー分散剤を選択してもよい。例としては、ジメチルテレフタレート−１，２−プロピレングリコール−スルホ−エトキシレートコポリマーが挙げられる。
【００３８】
さらに、基材に適用された組成物は、グリース洗浄を促進する添加物、例えば、１，３−シクロヘキサンビス（メチルアミン）のようなアミンを含んでもよい。さらに、しばしばポリジメチルアミノエチルメタクリレートのような（メタ）アクリレートポリマーの形態において、泡促進剤を含んでもよい。
さらに好ましい成分は、漂白可能な染料である。このような染料は、好ましくは、使用中に組成物からゆっくりと放出されるような形態で提供される。漂白剤活性が有効である場合、漂白可能な染料は脱色される。しかし、漂白剤活性が失われた場合、漂白可能な染料は目に見えるようになり、ユーザに対する簡便な指標を与える。例えば、漂白剤の酸性に起因して、ｐＨ感受性の指示薬を、ワイプ上の目に見える色変化をもたらすために使用することができる。好ましい指示薬はブロモチモールブルーである。基材は、好ましくは、疎水性（例えば、疎水性不織布）であり、基材の疎水性に起因して、指示薬は容易にその上に吸収される。漂白剤活性に起因して、漂白剤、特にＰＡＰの存在は、ワイプ上でわずかに黄色の色相を与える。ワイプ使用中に、ＰＡＰが放出されるにつれて、ワイプのｐＨは、ｐＨ８に達する過剰な界面活性剤に起因して増加する。これは、指示薬が暗緑色に変化するｐＨである。このことは、ＰＡＰ（又は他の酸性漂白剤）がワイプ上に存在しなくなったことのシグナルを与える。
【００３９】
（水不溶性基材）
本発明のワイプは、水不用性基材を含む。好ましくは、この基材は、少なくとも２つの層、第１の層及び第２の層（好ましくは、バッティング層）を含む。
本明細書の層は、内面及び外面（層の内側及び外側）を有する。両方の場合において、層の内面は、本発明のワイプの内側又は最も内部の部分に対向するものであり、一方、層の外面は、物品の外側又は最も外部の部分に対向するものである。さらに言えば、第１層と第２層の２つの内側又は内面は互いに向かい合い、互いに隣接して位置している。しかし本明細書の以下で記載されるように、一以上の追加の層が第１及び第２層の間に存在していてもよい。これらの追加の層が存在する場合、それらは第１及び第２層の間に挟み込まれている。
【００４０】
好ましくは、基材層は、第１層が第２層より柔らかいという異なる質感を有し、第２層はさらに第１層からそれた側（「外面」）に融合した研磨コーティングを有し、それは研磨コーティングが本明細書のワイプの外面の１つにあることを意味する。
【００４１】
一般に、本発明のワイプの配置は、第１層が、物品を握るのに好適な側（すなわち、握り側）により近く、一方外面に研磨コーティングを有する第２の層は、物品の洗浄される表面と接触する側（すなわち、主たる食器接触側）により近くなるように規定され得る。しかしながら、物品の両側が食器類との接触に好適である。
【００４２】
水不溶性基材の前述された設計により本明細書のワイプの洗浄性能が向上すると考えられる。基材は、物品の握り側が主たる食器接触側と異なる質感であるように、それぞれの層又は側で異なる質感を有する。基材は、効果的な研磨用、さらにはこすり洗い用器具として作用してもよい。研磨コーティングを有する第２層を食器類と物理的に接触させることにより、基材は、油脂、焦げつき食品残物及びその他のくずのようなごみ及び汚れの洗浄及び除去を大いに助ける。さらに、好ましくは、より柔らかい第１層は、表面を拭取るのに好適であり、及び／又は本明細書のワイプのユーザに柔らかい感触を与える。
【００４３】
更に、第１層及び第２層、並びに存在するなら追加の層は、物品の一体性を維持するために互いに結合されるのが好ましい。層は、好ましくは、共に熱点結合され、より好ましくは、超音波によって発生する熱を用いて熱点結合される。幾何学的形状及びパターン、例えば、ダイヤモンド、円、四角等が層の外面に形成され、結果として物品になるように結合を配置してもよい。
【００４４】
（第１層）
本発明において使用される水不溶性基材は、好ましくは、第１層を含み、ここでこの第１層は部分的に疎水性の不織布である。
【００４５】
本明細書では「部分的に疎水性」とは、不織布が疎水性材料を少なくとも部分的に含むことを意味する。好ましくは、第１層の不織布は、少なくとも約４０％、より好ましくは、少なくとも約５０％、さらにより好ましくは、約５５％〜約７５％の疎水性材料を含む。疎水性材料は一般に、合成有機ポリマーを基にする。本明細書中の適切な疎水性物質は、合成有機ポリマー類からなる群から選択される。
【００４６】
第１層に好適な材料は、セルロース系不織物、かさばらない不織物、及び吸収性不織布、並びにこれらの組み合わせから成る群から選択される。好ましくは、第１層はかさばらない不織布である。本明細書で使用する時「不織布」とは、層が、布地に織られた繊維を含んでいないことを意味する。不織布に存在する繊維は、ランダムにすることができ（即ち、無作為に並べる）又はそれらをカードすることができる（即ち、梳いて主として一方向に配向させる）。
【００４７】
第１層は、種々の天然及び合成の繊維又は材料を含んでもよい。本明細書で用いられる「天然」とは、材料が植物、動物、昆虫、又は植物、動物、及び昆虫の副産物に由来することを意味する。従来の基礎出発物質は通常、任意の一般の合成又は天然の織物長の繊維、又はそれらの組み合わせを含む、繊維状のウェブである。
【００４８】
天然素材から作られる不織布は、繊維の液状懸濁液から微細なワイヤースクリーン上に通常形成されるウェブ又はシートで構成されている。Ｃ．Ａ．ハンペル（C.A.Hampel）等の「化学百科事典（The Encyclopedia of Chemistry）第３版、１９７３年、７９３〜７９５頁（１９７３年）、「アメリカーナ百科事典（The Encyclopedia Americana）第２１巻３７６〜３８３頁（１９８４年）、及びＧ．Ａ．スムーク（G.A.Smook）の「パルプと紙の技術ハンドブック（Handbook of Pulp and Paper Technologies）」パルプ製紙工業技術協会（Technical Association for the Pulp and Paper Industry）（１９８６年）、これらはすべて参考として本明細書に組み込まれる。
【００４９】
本発明に有用な天然材料の不織布は、多種多様な市販品から入手してもよい。本明細書で有用な好適な市販紙層としては、ジェイムズ・リバー（James River）（ウィスコンシン州グリーンベイ）から市販されている坪量約７１ｇｓｍを有するエンボス加工された、乾式形成のセルロース系層エアテックス（Airtex）（登録商標）、及びウォーキソフトＵ．Ｓ．Ａ．（Walkisoft U．S．A．）（ノースカロライナ州マウントホリー）から市販されている坪量約７５ｇｓｍを有するエンボス加工された、乾式形成のセルロース系化合物ウォーキソフト（Walkisoft）（登録商標）が挙げられる。
【００５０】
不織布を作る方法は、当技術分野で周知である。一般に、これらの不織布は、乾式層形成、湿式層形成、メルトブローイング、コフォーミング、スパンボンディング、又はカーディング方法により作成することができ、これらの方法においては、初めに繊維又はフィラメントを長いストランドから所望の長さに切断し、水流又は気流に通した後、繊維の入った空気又は水をスクリーンに通してスクリーン上に付着させる。得られる層は、その生産方法又は組成に関わらず、個々の繊維を１つに固着させて自己維持型のウェブを形成する、いくつかの種類の結合操作のうち少なくとも１つの操作を受ける。本発明では、空気絡合、水流絡合、熱結合、及びこれらの工程の組み合わせを含むが、これらに限定されない種々の工程によって不織布層を調製することができる。
【００５１】
基材は約２０〜約２００ｇｍ-2の重量を有することが好ましい。より好ましくは、基材は約２０ｇｍ-2以上、且つより好ましくは、約１５０ｇｍ-2未満の重量を有し、秤量は約２０〜約１２０ｇｍ-2、最も好ましくは、約３０〜約１１０ｇｍ-2の範囲であることがより好ましい。基材はいかなる厚さであってもよい。典型的には、基材を水流交絡法で製造する場合、基材の厚さの平均は、約６８９．５Ｐａ（約０．１ポンド／平方インチ）（約０．００７ｋｇ／ｍ2）の圧力で約１．２ｍｍ未満である。より好ましくは、基材の厚さの平均は、約６８９．５Ｐａ（約０．１ポンド／平方インチ）の圧力で約０．１〜約１．０ｍｍである。基材の厚さは、ＥＤＡＮＡ標準不織布産業方法論（standard EDANA nonwoven industry methodology）、参照方法番号３０．４−８９に従って測定される。
【００５２】
本発明の好ましい実施形態において、第１層はカードされたスパンレース加工された部分的に疎水性の不織布である。
本発明の別の好ましい実施形態において、前記第１層の部分的に疎水性の不織布は、少なくとも約４０％、好ましくは、約５０％〜約７５％、より好ましくは、約５５％〜約６５％の合成繊維からなる。
本発明のさらに別の好ましい実施形態において、第１層の部分的に疎水性の不織布は、ポリプロピレン及びレーヨン繊維を含む。
【００５３】
（第２層）
本発明の水不溶性基材はさらに好ましくは、第２層を含み、ここでこの前記第２層は低密度不織布である。好ましくは、第２層は詰綿層である。
【００５４】
本明細書で「詰綿層」とは、かさ高く弾力性の低密度の不織布構造を意味する。
【００５５】
「低密度」又はかさばる不織布とは、層が約０．００００５ｇ／ｃｍ3〜約０．１ｇ／ｃｍ3、好ましくは、約０．００１ｇ／ｃｍ3〜約０．０９ｇ／ｃｍ3の密度、及び７６Ｐａ（５ｇｍｓ／平方インチ）で約０．１０ｃｍ（０．０４インチ）〜約５．０８ｃｍ（２インチ）の厚みを有する。
【００５６】
前記第２層は前記第１層と隣接し、好ましくは、前記第１層からそれた側に研磨コーティング、例えばポリマー性スクリムを融合させている。
本発明の好ましい実施形態において、第２層は少なくとも約１ｍｍ、好ましくは、約２ｍｍ〜約４ｍｍのかさばりを有する。
本発明の別の好ましい実施形態において、第２層は、約０．００００５ｇ／ｃｍ3〜約０．１ｇ／ｃｍ3、好ましくは、約０．００１ｇ／ｃｍ3〜約０．０９ｇ／ｃｍ3の密度を有する。
【００５７】
第２層に好適な材料は、セルロース系不織物、かさばる不織物、及び吸収性不織布、並びにこれらの組み合わせからなる群から選択される。好ましくは、第１層はかさばる不織布である。
第２層は、種々の天然及び合成の繊維又は材料の双方を含んでもよい。好適な天然材料は、本明細書の上記で項目名「第１層」にて記載されたものと同様のものである。好適な合成材料は、本明細書の上記で項目名「第１層」にて記載されたものと同様のものである。
本発明で有用な合成材料製の低密度不織布は、多種多様な市販品から入手することができる。
【００５８】
本発明の好ましい実施形態では、低密度の不織布が、ポリエチレンテレフタレート（ＰＥＴ）、及びポリエチレン（ＰＥ）とポリエチレンテレフタレート（ＰＥＴ）から製造される二成分シースコア繊維からなる。
本発明の好ましい実施形態では、第２層は、かさ高い低密度の不織布、好ましくは、カードされた空気通過結合構造から作られる。
【００５９】
好ましい実施形態では、第２層は、前記第１層からそれた側に熱可塑性材料のコブ又はフックの研磨コーティングを融合させている。好ましくは、１インチ平方あたり、約８ドットのパターンで適用される。好ましくは、それらは、実質的に規則的に第２層を覆う。熱可塑性材料は、好ましくは、ホットメルト接着剤である。好ましくは、第２層の低密度不織布の融点よりも低い融点を有する。例えばスクリーン印刷によって適用可能である。コブ又はフックは、好ましくは、実質的に、球形を有する。直径は、好ましくは、少なくとも約２００ミクロン、好ましくは約３００〜約６００ミクロン、さらに好ましくは、約３００〜約５００ミクロンである。
【００６０】
（追加の層）
任意選択的に本明細書の基材は、前記第１層と前記第２層との間に位置する一以上の任意の層を含んでいてもよい。本発明の好ましい実施形態において、本明細書の水不溶性基材は、第１層と第２層との間に位置する実質的に不透水性の第３層をさらに含む。本明細書において「実質的に不透水性」とは、層の水透過性が低いが有意水準ではないことを意味する。好ましくは、第３の実質的に不透水性層は、可塑性フィルム、より好ましくは、線状低密度ポリエチレン（ＬＤＰＥ）及びメタロセン触媒された低密度ポリエチレンから製造される可塑性フィルムである。好ましくは、上記可塑性フィルムは、約０．８ｍｍの厚みを有する。好ましくは、第３の不透水性の層は、エンボス加工された微小パターンを有する。このようなエンボス加工された微小パターンにより使用中のノイズが小さくなることが見出された。不透水性層に好適な材料は、トレゲダ（Tregedar）から商品名ＥＭＢ−６８５（登録商標）として市販されている。
【００６１】
（洗浄組成物の形態及び適用）
本発明のワイプは、水不溶性基材に定義された洗浄組成物を適用することによって提供される。上記組成物は、すべての要求された成分を含む１つの成分組成物であることができる。しかし好ましくは、２つ以上の別個の組成物成分の形態で提供される。特に、第１の組成成分が界面活性剤を含み、実質的にペルオキシカルボン酸又はペルオキシカルボン酸前駆体漂白剤を含まず、第２の組成成分が漂白剤を含み、実質的に界面活性剤を含まないことが好ましい。この場合では、２つの組成物成分は、一般的に、分離しており、接触しないように基材上に適用される。この特定の実施形態は、界面活性剤及び漂白剤のような不適合性の成分を分離したままにすることが可能であるという利点を有する。
【００６２】
酵素が使用される場合、漂白剤を含有する組成物成分以外の組成物成分中に含有されることが好ましい。特に、好ましい実施形態では、組成物成分は、３つの成分を含み、第１のものは漂白剤を含み、第２のものは界面活性剤を含み、第３のものは酵素を含む。これらのものは、基材の表面に別個に適用される。
【００６３】
基材上の洗浄組成物の全濃度（別個の成分が使用される場合、全ての組成物成分の合計）は、一般的に、０．１〜１ｍｇ／ｍｍ2、好ましくは、０．５〜０．８ｍｇ／ｍｍ2の範囲である。組成物又は組成物成分は、基材の表面全体に均一な様式で適用可能である。しかし、好ましくは、組成物又は組成物成分は、ストリップの形態（以下にさらに議論される）で適用される。
一般的に、各組成物成分は、水性組成物（例えばペースト）の形態で提供され、水及び所望の洗浄成分を含有し、基材に適用され、乾燥される。
【００６４】
本発明において、本発明者らは、漂白剤を含有する水性組成物中の漂白剤の濃度が水性組成物に基づいて５〜６０重量％、好ましくは、２０〜５０重量％である場合、有利な漂白剤放出成果が達成されることを見出した。漂白剤を含有する水性組成物成分における水溶性増粘ポリマーの好ましい濃度は、使用される場合、水性組成物に基づいて０．５〜１５重量％、好ましくは、０．４〜４．５重量％、特に１．５〜３．７５重量％の範囲である。漂白剤を含有する水性組成物は、好ましくは、保湿剤、例えばグリセロールを含有する。保湿剤の好ましい濃度は、１〜１５重量％、好ましくは、５〜１２．５重量％である。さらに、漂白剤を含有する組成物成分は、ポリマー分散剤、例えば、ジメチルテレフタレート−１，２−プロピレングリコール−スルホ−エトキシレートコポリマーを、好ましくは、０．０５〜０．７５重量％、さらに好ましくは、０．２５〜０．６３重量％の量で含有することができる。水の濃度は、６〜９３重量％、好ましくは、５０〜８０重量％、さらに好ましくは、５８〜７３重量％であることができる。
【００６５】
漂白剤ペースト（又は基材に適用するための漂白剤を含有する他の水性組成物）の特に好ましい成分は以下のようになり、好ましい濃度及びさらに好ましい濃度はそれぞれ与えられている。最も好ましくは、漂白剤ペーストは、これらの列挙された成分の全てを含む。
【００６６】
【表１】
2006505683.tif 000003
基材に適用するための好ましい界面活性剤を含有する水性組成物は、２〜８５重量％、好ましくは、４〜８１重量％、さらに好ましくは、１６〜６１重量％の水を含有する。界面活性剤を含有する組成物中の水溶性増粘ポリマーの好ましい量は、１〜１０重量％、好ましくは、１．５〜８重量％、さらに好ましくは、３〜７重量％である。界面活性剤を含有する水性組成物中の水移動剤／構造化剤の好ましい量は、１〜１０重量％、好ましくは、１．５〜８重量％、さらに好ましくは、２．７５〜７重量％である。陰イオン性界面活性剤の好ましい濃度は、５〜７５重量％、好ましくは、１２〜６５重量％、さらに好ましくは、２５〜５４重量％である。両性界面活性剤の好ましい濃度は、２〜１５重量％、好ましくは、２．７〜１３．４重量％、さらに好ましくは、２．７〜１３．４重量％、最も好ましくは、５．４〜１１．８重量％である。非イオン性界面活性剤の好ましい濃度は、０．１〜１０重量％、好ましくは、０．４〜５重量％、さらに好ましくは、１．９〜４．２重量％である。好ましくは、界面活性剤を含有する水性組成物はまた、洗浄性能及び起泡性能を高めるための追加の成分を、０．２５〜２重量％、好ましくは、０．６〜１．５重量％の量で含む。
【００６７】
界面活性剤ペースト（又は基材に適用するための漂白剤を含有する他の水性組成物）の特に好ましい成分、及びそれらの好ましい量は以下のようになる。好ましい界面活性剤ペーストは、列挙された成分の全てを含有する。
【００６８】
【表２】
2006505683.tif 000004
基材への水性組成物の適用は、一般的に、散水（sprinkling）、浸漬コーティング、噴霧、スロットコーティング及びロールトランスファー（例えば、加圧ロール又はキスロール）のような従来の方法を介して行われる。
【００６９】
ワイプは、好ましくは、上述のように、２層基材から形成される。この場合には、ペースト又は他の水性組成物は、好ましくは、第１層及び第２層に添加され、さらなる層は第１層の上に配置されるが、好ましくは、いつもではないが、組成物の上に配置される。上記シートは、熱スポットシーリングによって共に密閉することができる。
【００７０】
２層基材が使用される場合、水性組成物は、前記第１層、前記第２層及び／又は任意のさらなる層（存在する場合）の上に適用されてもよい。さらに水性組成物は、本発明に従うワイプの基材の１又は複数の層の内面及び／又は外面に適用されてもよい。
好ましくは、水性組成物は、前記第２層の上に適用され、さらに好ましくは、前記第１層に面する前記第２層の上に適用される。さらに言えば水性組成物は、最も好ましくは、第２層の内面に付着される。
水性組成物は、層の表面全体に等しく分配されてもよく、洗浄ペーストが付着する層の表面の一部に付着され、又は適用される。好ましくは、前記組成物は、洗浄ペーストが付着する層の表面の一部に適用され、より好ましくは、第２層の表面の一部に適用される。
【００７１】
基材に適用された組成物は、基材の表面全体に均等に分布するか、又は表面の一部分に適用されてもよい。好ましくは、組成物は、基材の一部分に適用される。さらに好ましくは、組成物は、ストリップ状パターンで適用される。好ましくは、ストリップ状パターンは、少なくとも１つのストリップ、好ましくは、１〜６つのストリップ、より好ましくは、３〜６つのストリップ、さらにより好ましくは、５つのストリップを有する。好ましくは、ストリップはワイプの全長にわたって延びる。ストリップは、好ましくは、少なくとも３ｍｍ、好ましくは、５ｍｍ〜１５ｍｍの幅を有する。
【００７２】
洗浄組成物のストリップの適用中に、ワイプに適用された熱及び圧力を制御することによって、組成物はストリップ形態に保持されるか、又は単一の連続フィルムに結合することができる。
ワイプ上の組成物の表面積は、ワイプが使用される場合、界面活性剤の放出速度を改変するために使用可能である。概して、より少なく、より細いストリップは、ワイプからの界面活性剤の放出をさらに遅くする。このことは、使用中に水にさらされる組成物の表面積が減る結果であると考えられる。
【００７３】
好ましい実施形態では、本明細書中の水性組成物（及び最終製品における洗浄組成物）は、本明細書中の少なくとも１つの層（好ましくは、前記第２層）の表面の少なくとも約３０％、好ましくは、本明細書中の少なくとも１つの層（好ましくは、前記第２層）の表面の約７０％〜約９５％を覆う。組成物が単一層として適用される場合、このことは特に好ましい。好ましくは、組成物は、基材の縁まで延びない。従って、基材の縁で、基材領域の好ましくは、少なくとも２％、さらに好ましくは、少なくとも５％が、洗浄組成物が適用されていない。このことは、界面活性剤の放出の制御に貢献する。
【００７４】
さらに、好ましくは、組成物は、基材の中心領域から離れて濃縮される。さらにこれにより、消費者が使用時にワイプ上にほとんどの圧力をかける領域から離れて組成物が濃縮されているため、放出の制御が最大限行われる。
任意のさらなる製造工程には、ワイプを平らにするカレンダー加工、乾燥すること、しわ形成すること、縮ませること、伸ばすこと、あるいは機械的に変形させることが包含されてもよい。
【００７５】
別個の漂白剤を含有する組成物成分が使用される場合、乾燥後の基材上のこの成分の量は、好ましくは、０．００４〜０．０４ｇ／ｃｍ2、好ましくは、０．０１〜０．０３ｇ／ｃｍ2の範囲である。
別個の界面活性剤を含有する組成物成分が使用される場合、好ましい量は、０．０２〜０．０６ｇ／ｃｍ2、好ましくは、０．０２〜０．０４ｇ／ｃｍ2である。
【００７６】
（ワイプ）
本発明のワイプは、一般的に使い捨てであり、限定された使用回数の後に捨てられるか又は廃棄される。本明細書中で「使い捨て」とは、界面活性剤が使い果たされると、ワイプが捨てられることを意味する。使用中にワイプから放出される界面活性剤を含有する組成物を消費者が交換することによって、任意のさらなる洗浄組成物がワイプに適用されることは意図されない。特に、本発明のワイプは、２５回未満、さらに好ましくは、１５回未満、特に１０回未満の使用後に廃棄される。例えば、手動食器ケア適用における１回使用は、４人家族世帯で１日にたまる家庭用品を手動食器洗浄によって洗浄することとして定義される。
【００７７】
本発明のワイプは、たった１回の使用の後に廃棄されることも可能である。しかし、いくつかの実施形態では、本発明のワイプが少なくとも２回、好ましくは、少なくとも３回使用可能であるように、高められた漂白剤の放出制御を利用することが有利である。
【００７８】
好ましくは、ワイプは、指触乾燥状態である。好ましくは、ワイプは、以下の水分試験が適用される場合、４及び５の範囲内である：使い捨てバウンティ（Bounty（商標））キッチンタオルの乾燥シートをワイプの上に置き、ワイプ全体を１層のバウンティ（Bounty）キッチンタオルで覆う。３ｃｍ×３ｃｍの５０グラムの重りをワイプ及びバウンティ（Bounty）シートの上面に配置する。重りを１分間放置し、次いで取り除く。上述の試験方法の間、ワイプからバウンティシートに移行した水分の量は、ワイプの湿り気の尺度である。バウンティシートを光源に掲げ、バウンティシートの外観における視覚的な変化として認識される水分の跡の存在について次の基準に従って視覚的に分類する。基準は、重りによって覆われていたバウンティシート３ｃｍ四方の領域（重り領域）における水分跡の％範囲に基づく。
【００７９】
【表３】
2006505683.tif 000005
「指触乾燥状態（dry-to-the-touch）」とは、触ったときにワイプが湿っているか又は濡れていると感じる（例えば、濡れたワイプ又はあらかじめ湿らせたワイプの感触）量で、ワイプが水又は他の溶媒を含まないことを意味する。ここで、基材は液体及び一般的に低粘度の組成物中に含浸される（すなわち、浸される）。従って、本発明のワイプは、好ましくは、濡れていないか、又はあらかじめ湿らせた種類のものではない。
【００８０】
さらに、好ましくは、ワイプは実質的に乾燥している。すなわち、約１２ｍｇ／ｃｍ2未満、好ましくは、約６ｍｇ／ｃｍ2未満、さらに好ましくは、約２ｍｇ／ｃｍ2未満の水分保湿値を示す。水分保湿値は、ユーザが、「濡れた」ワイプの感触と対照的に、本発明のワイプを触ったときに認識する乾いた感触を示す。
【００８１】
本ワイプの保湿値を定量するために、次の装置及び材料が必要である。
【００８２】
【表４】
2006505683.tif 000006
次に、２枚のペーパータオルを別々に計量し、各重量を記録する。１枚のペーパータオルを平らな面（例えば、実験室の作業台）上に置く。サンプル物品を、そのペーパータオルの上に置く。もう一枚のペーパータオルをサンプル物品の上に置く。次にレキサン（Lexan）（登録商標）、次いで２０００グラムの重りを、挟み込まれたサンプル物品の上に置く。１分間待つ。１分後、重りとレキサン（Lexan）（登録商標）を取り除く。頂部及び底部のペーパータオルを計量し、重量を記録する。
【００８３】
頂部及び底部の両方のペーパータオルについて、最終重量（１分後）から初めのペーパータオル重量を引くことによって、保湿値を算出する。頂部及び底部のペーパータオルについて得られた重量差を足す。多数の物品について試験することを想定して、総重量差を平均して保湿値を得る。
本発明に係るワイプは、一般的にシート形態である。それらは、約１０〜約２０ｃｍの長さ、約１０〜約２０ｃｍの幅及び約２〜約５ｍｍの厚みを有し得る。
【００８４】
（洗浄方法）
本発明のワイプは、手によって食器類を洗浄するプロセスにおいて使用可能であり、さらに、好ましくはないけれども、他の家庭用品の表面を手で洗浄するためのプロセスにおいても使用可能である。「食器類」としては、食器、例えば、皿類、カップ類、刃物類、ガラス製品、食品貯蔵容器、調理器具などが含まれてもよい。家庭用品の表面としては、シンク、ワークトップ、備品、器具などのようなキッチンにおいて見出される硬質表面が挙げられる。
【００８５】
それ故に、本発明は、本発明に係るワイプを用いて硬質表面を洗浄する方法を提供し、ここで、この表面は好ましくは、食器類である。食器類を洗浄する方法は、一般的に、ワイプを水で濡らして、濡らしたワイプと食器類とを接触させる工程、又は食器類を水で濡らし、ワイプと濡らした食器類とを接触させる工程を含む。
【００８６】
本発明者らは、使い捨てワイプの媒体が、界面活性剤及び漂白剤の両方を食器類に直接適用し、上述の困難な汚れの問題に対処するために特に簡便なビヒクルであることを見出した。使い捨てワイプ環境の使用により、界面活性剤及び漂白剤が直接適用され、必要な場合、相互作用及び不安定化を最小限にするために、それらは別個の組成物成分中に維持される。
【００８７】
さらに、本発明者らは、使い捨てワイプのビヒクルにより、組成物を触ったときに実質的に乾燥状態及び乾燥状態で、簡便な形態で提供可能であり、組成物の成分の安定性を高めるとともに、使用時には容易に溶解する水性洗浄組成物を迅速に製造可能であることを見出した。
それ故に、本発明のさらなる態様によれば、本発明者らは、界面活性剤及び漂白剤を含む組成物が適用された使い捨てワイプを提供する工程と、ワイプを水で濡らし、濡れたワイプを汚れた食器類に適用させるか、又は汚れた食器類を濡らし、ワイプを濡れている汚れた食器類に適用する工程を含む、食器類ケア方法を提供する。
【００８８】
本発明のワイプは、好ましくは、水で活性化され、従って使用前に水で濡らすことを意図したものである。本明細書で使用する時、「水で活性化される」とは、本発明が、実質的に乾燥した形態及び／又は乾燥した感触の形態で消費者に呈示され、水でぬらした後で使用されることを意味する。したがって、この物品を水に浸すことによって、又は流水にさらすことによって濡らす。
【００８９】
本発明のこの態様では、種々の漂白剤が使用可能であるが、好ましくは、ペルオキシカルボン酸又はペルオキシカルボン酸の親水性前駆体である。
使用において、ワイプは、一般的に、食器類（ワイプ）を覆って機械的に攪拌され、食器類は水ですすがれる。
【００９０】
好ましい実施形態において、本発明はまた硬質表面、好ましくは、台所の硬質表面を洗浄する方法に関する。硬質表面を洗浄する方法は、：ａ）本発明に従うワイプを水で濡らす工程、及びｂ）硬質表面をこの濡れたワイプと接触させる工程、を含む。さらに本明細書の硬質表面を洗浄する方法は、ワイプを硬質表面上で機械的に動かす（拭取る）工程、及び／又はこの硬質表面を水ですすぐ工程をさらに含む。
【００９１】
上述のように、本発明のワイプは、一般的に使い捨てであり、限定された回数のみ使用される。しかし、本発明の利点は、本発明で達成可能な洗浄環境に対して、漂白剤の放出が制御できることである。このことは、以下の実施例において議論するように決定される。開示された方法は、特に、漂白剤としてのＰＡＰの測定に適用可能である。しかし、ステップ６において適切な換算因子を選択することによって、漂白剤の放出の測定のために使用してもよい。いくつかの好ましい実施形態では、漂白剤の放出は、１日後に５０％未満、好ましくは、４０％未満、幾つかの好ましい場合において３０％未満になるように制御される。５０％未満、特に４０％未満、なおさらに３０％未満が２日の使用後に放出されることが好ましくあり得る。特定の好ましい実施形態では、３日後に、放出は６０％未満、好ましくは、５０％未満、特に４０％未満である。
【００９２】
（任意の添加成分）
本発明に係るワイプにおいて使用される洗浄組成物は、食器類ケア又は硬質表面洗浄において使用するために公知の任意の他の適切な成分を含んでもよい。
組成物は、例えば、ジアミン類、ポリマー泡安定化剤、フィルム形成ポリマー、着色剤、香料及び香料送達剤、安定剤、溶媒、密度制御剤、乾燥剤、屈水性誘発物質、塩、凝固剤、保存剤、水スポッティング／フィルム形成／乾燥制御剤、及びこれらの混合物から成る群から選択される追加の成分を含んでいてもよい。
【００９３】
（食器洗浄スポンジ）
さらに、本発明の洗浄組成物は、有利には、食器洗浄スポンジに適用され、本発明のさらなる態様では、本発明者らは、以下を含む洗浄組成物に含浸される食器洗浄スポンジを提供する：
（ａ）界面活性剤、及び（ｂ）ペルオキシカルボン酸又はそれらの親水性前駆体である漂白剤。
あるいは、上記組成物は、（ａ）界面活性剤、（ｂ）漂白剤、及び（ｃ）陰イオン性側鎖を有する水溶性増粘ポリマーを含む。
これらの態様では、上述の組成物の好ましい特徴は、適用可能である場合、使用してもよい。
さらに、スポンジは研磨層を有することができる。スポンジは、例えば、天然セルロース又は合成材料から形成することができる。
【実施例】
【００９４】
（実施例１）
漂白剤ペーストを以下の組成を有するように形成する：
４０％  ＰＡＰ
０．５％  ジメチルテレフタレート−１，２−プロピレングリコール−スルホ−エトキシレートコポリマー
３％  キサンタンガム
１０％  グリセロール
４６．５％  水
界面活性剤ペーストを以下の組成を有するように形成する：
４９％  １分子あたりに平均０．６ＥＯ基を有するアルキルエトキシサルフェート（陰イオン性界面活性剤）
１０．７％  アミンオキシド（両性界面活性剤）
３．８％  ネオドール（Neodol）９１−８非イオン性界面活性剤
０．９２％  １，３−シクロヘキサンビス（メチルアミン）
０．３１％  ポリジメチルアミノエチルメタクリレート
５．５％  燻蒸シリカ
６％  キサンタンガム
２３．８％  水
【００９５】
１２０ｍｍ×１４０ｍｍの面積の基材を調製する。基材は、ポリマー性スクリム層と、２つのバッティング層と、ポリマー性膜層及び不織布トップシート層とを備えていた（この順序で配置される）。上記組成物を、バッティング層の１つとポリマー性膜層との間に配置する。
【００９６】
ウェブの幅方向に２０ｍｍの距離で離れていて、ウェブの各側で平行線を作る幅約１２ｍｍの５本の線状に、コーティングの先端を介して連続して押出すことによって、界面活性剤ペーストを基材の詰綿層の一方の側に適用する。漂白剤ペーストを同様の様式で適用し、さらに、漂白剤ペースト及び界面活性剤ペーストが基材上で接触しないようにストリップ中に適用する。
【００９７】
ペーストを既に保持する第２層（上記を参照）を、第１層と界面活性剤含有層とを接触させながら第１基材上に連続的に送る。ウェブを横切って、均一に間隔を空けた直径８ｍｍの長いシール点の格子を含むティルデ（tilde）形状のドットパターンをシールする、超音波シール機にウェブを連続的に送りこむ。物品当り合計約７０個のシール点を有する、約１２０ｍｍ×１６０ｍｍの矩形で、角の丸い個々の物品にウェブを切断する。
２つの組成物を乾燥させ、ワイプの上の乾燥した漂白剤を含有する組成物の最終重量は４ｇであり、基材の上の乾燥した界面活性剤を含有する組成物の最終重量は７．５ｇである。
【００９８】
（実施例２）
本実施例は、本発明において達成された、改良された変色の防止を示す。ワイプＡ及びＢを調製する。ワイプＡは実施例１に記載されるとおりであり、ワイプＢは、漂白剤ペーストの適用がない部分が相違点である。
１．ワイプＡ及びＢを調製する。
２．ワイプを０．８リットルの水に浸し、疎水性赤色染料を２．５％濃度でモデル汚れとして導入する。
３．各ワイプを別個のビーカーに３回浸し、１回浸すごとにワイプの過剰な水を絞って除く。
４．３回全て浸し終わったら、過剰の石鹸／油をワイプから洗い流す。
５．ワイプを絞って過剰も水を除去し、一晩乾燥させる。
【００９９】
（結果）
【０１００】
【表５】
2006505683.tif 000007
使用後のワイプＡの白度における違いは、初期の読みの５％を越えなかったが、ワイプＢの場合はほぼ３３％であることがわかる。同様に、ワイプＢにおいて、かなりの量の黄色成分及び赤色成分が、使用後にさらに大きな染みを示す。
【０１０１】
（Ｌ、ａ、ｂ測定値）
１．ハンター比色計を用いて、各ワイプの初期の読みを汚す前に取っておく。Ｌ、ａ、ｂは、色差の測定において使用される均一の色スケールである。次いで、その結果を、以下に添付のスケールで解釈することができる。
２．ワイプを汚し、一晩乾燥させた後、比色計で値を読む。
【０１０２】
（実施例３）
本実施例は、食器類に対してスポンジを用いて適用された液体ベースの食器洗浄組成物を使用した場合と比較した、本発明のワイプＡの汚れ除去の利益を示す。
【０１０３】
実施例１に従って製造したワイプＡは、以下に示されるように基材に適用された組成物を有する。以下のＬＤＬに示される、スポンジを用いて初期類に適用される、これらを液体手動食器洗浄組成物と比較する。上記成分は、以下に示されるとおりであり、残部は水である。汚れ除去の結果を示す。
【０１０４】
【表６】
2006505683.tif 000008
【０１０５】
結果は以下のように得られる：
（手順）
１．マカロニ及びチーズで焼いたスライドを調製する。
２．スライドを計量し、３回記録しなければならない：
ａ．スライドが完全にきれいな時
ｂ．汚した後
ｃ．処理後。
３．調製したマカロニ＆チーズスライドのプレート１を３個のキャセロール食器にそれぞれ載せる。
４．中程度に熱く、試験全体にわたって水を流し続けるように、水道をひねって水道水を出す。
５．必要ならば磨き用スポンジにＬＤＬを置く。
６．蛇口の下でスポンジ及び／又はワイプを動かす。
７．泡を除去するために、スポンジ／ワイプを数回絞る。
８．蛇口の下でスポンジ及び／又はワイプを再び動かす。
９．３個のキャセロール食器中で、スライドの上でスポンジ／ワイプを絞る。各スライドが完全に覆われているのを確認する。必要な場合ステップ７を繰り返す。
１０．スライドを３０秒間浸す。
１１．キャセロール食器からスライドを除去し、スポンジ／ワイプで３回ワイプを洗浄する。
１２．スライドを端におき、一晩乾燥させる。
１３．試験されるのに必要な各製品について、ステップ４〜１１を繰り返す。
１４．十分な乾燥時間の後、除去された汚れの量を決定するために再計量する。
【０１０６】
（処理後−きれいな側）／（汚した後−きれいなスライド）＝除去された汚れ％
（実施例４）
本実験は、使用時にワイプからの漂白剤の放出制御における、キサンタンガム及びシクロデキストリンの効果を示す。ワイプＡは実施例１において製造されるとおりである。ワイプＤでは、キサンタンガムが添加されない。ワイプＥでは、キサンタンガムが添加されず、シクロデキストリンと交換されている。
【０１０７】
（試験を以下のように行う）：
（ＰＡＰ活性を測定するための方法）
（機器）
３リットル水（望ましい水硬度）
水を１１５Ｆ（４６℃）に保つための水浴
レフレクトクアント（Reflectoquantt）システム−メルク（Merck）から市販のＲｑｆｌｅｘ２（漂白剤測定システム）
過酢酸分析のための試験片は、メルク（Merck）から市販されている（１〜５０ｐｐｍ範囲）。
【０１０８】
（ワイプ）
（ステップ１〜３を１回洗浄で繰り返すが、複数回使用する（１日使用で溶液中の全漂白剤））。
１．４６℃（１１５°Ｆ）の３の水中にワイプを１５秒間置き、１回絞る。
２．ＲＱフレックス（flex）２システム（ストリップの上でヨウ素−デンプン錯体を介して比色反射率）を用いて溶液中のＰＡＰを側定する。
３．これらのステップを２回以上繰り返す。
４．全漂白剤は、ワイプを３回絞った後に溶液中に放出されたＰＡＰの合計である。
（ステップ４は、２回目の洗浄及び３回目の洗浄を表す（２日目の使用及び３日目の使用についての漂白剤の測定））。
５．測定の２日目及び３日目について、ステップ１、２及び３を繰り返す。ワイプを連続した日程で乾燥させる。
【０１０９】
（溶液中のＰＡＰ％を計算する）：
６．装置の読み（反射率）を複数回読み、換算因子（ＭＷ  ＰＡＰ／ＭＷ  過酢酸（２７７／７７＝３．６））を用いることによって、溶液中のＰＡＰのｐｐｍ（ｍｇ／リットル）を計算する。
【０１１０】
ＰＡＰ％（溶液）＝装置の読み×［（ＭＷ  ＰＡＰ）／（ＭＷ  過酢酸）］
結果は以下のようになる：
【０１１１】
【表７】
2006505683.tif 000009
溶液中のＰＡＰの値が高いほど、漂白剤の放出が大きい。１日後、ワイプＤにおいて、９０％が放出されていることがわかる。しかし、ワイプＥ、及び、特にＡは、放出が持続されていることを示す。それ故に、高い初期放出が必要とされる場合、タイプＤのワイプが使用されるべきであり、放出の遅延及び制御が必要な場合、ワイプＡ及びＥが望ましい。
【０１１２】
（実施例５）
本実験は、強く着色した染みをプラスチックから除去する際に、親水性漂白剤（次亜臭素酸塩）の効果を示す。
【０１１３】
（試験を以下のように行う）：
プラスチックに染みをつける方法：
１．３〜４クオートのパンプレヒートを用いて、８２℃（８０°Ｆ）まで、１の全体含有量は１１．４Ｌ（４８オンス）である。ホットプレート又は料理用レンジ（スピード加熱のためにポットで覆われている）上にラグ１００％の従来のスパゲッティソース、低（low）／中（medium）のついたバーナー付き。完全に加熱するため、ソースを時々かき混ぜる。
２．次に、プラスチックのへらをスパゲッティソースの中に３０秒浸漬することにより、８２℃（１８０°Ｆ）のスパゲッティソース中でプラスチックに染みをつける。
３．へらをソースからまっすぐに出し、１０秒間水切りをする。
４．過剰のソースを除去するために、パンの端で３回へらをたたく。
５．可能な場合には、染みと直接接触させずに、熱い都市水でへらをすばやくすすぐ。
６．染みが見えなくなるまで、へらをキムワイプ又はその等価物で完全に乾燥させる（１枚より多いキムワイプを使用してもよい）。
７．トレーの上に染みのついたへらを置き、アルミニウムホイルできつく覆う（染みはわずかに残る）。
【０１１４】
（染みを除去するための方法）
１．以下に示されるように、ワイプを組成物Ｆに含浸させ、ペースト成分を粉末成分から別個に添加する。
２．粉末及びペースト成分を、熱シーリングを介して区画化し、粉末及びペーストが適用された領域を、使用前に成分の混合を防ぐために適用する。
３．ワイプを水５０ｍＬで濡らし、染みのついたへらの上を包む。
４．ワイプは、おおよそ消費者が浸す習慣に対して、１０分間、へら上に覆ったままにしておく。
５．ワイプを除去し、へらをすすぎ、乾燥し、以前に議論されたハンター比色法を用いて染み除去を決定する。
【０１１５】
以下のＬＤＬに示される、スポンジを用いて初期類に適用される、ワイプＦを液体手動食器洗浄組成物と比較する。
【０１１６】
【表８】
2006505683.tif 000010
【０１１７】
結果は以下のようになる：
【０１１８】
【表９】
2006505683.tif 000011
【図面の簡単な説明】
【０１１９】
【図１】色差の測定において使用される均一の色スケール。
【図１】
2006505683.tif 000012
【国際調査報告】
2006505683.tif 000013
2006505683.tif 000014